(57)【要約】  【課題】  土質改良用粉末固化材を、製造工場等の発送基地から工事現場の土質改良機に、効率よく低コストで輸送する。  【解決手段】  脱着ボディ車へ積載可能な粉粒体収容タンクコンテナ４１〜４６を、土質改良機５０を設置した建設または土木工事現場５１に対して複数台用意する。土質改良用の粉末固化材の発送基地４７において、粉粒体収容タンクコンテナ４２等に粉末固化材を積み込んだ後、粉末固化材が積み込まれた粉粒体収容タンクコンテナ４３を脱着ボディ車４９へ搭載して、発送基地４７から建設または土木工事現場５１の土質改良機５０近傍へ輸送して積み降ろす。次いで、現場５１で空になっている他の粉粒体収容タンクコンテナ４６を脱着ボディ車５３に搭載して発送基地４７へ輸送して積み降ろす。【選択図】  図５
2009040581.tif 000002
【特許請求の範囲】
【請求項１】
脱着ボディ車へ積載可能な粉粒体収容タンクコンテナを、土質改良機を設置した建設または土木工事現場に対して複数台用意し、土質改良用の粉末固化材の発送基地において、前記粉粒体収容タンクコンテナに粉末固化材を積み込んだ後、前記粉末固化材が積み込まれた粉粒体収容タンクコンテナを脱着ボディ車へ搭載して、発送基地から建設または土木工事現場の土質改良機近傍へ輸送して積み降ろし、次いで、前記現場で空になっている他の粉粒体収容タンクコンテナを前記脱着ボディ車に搭載して前記発送基地へ輸送して積み降ろすことを特徴とする土質改良用粉末固化材の輸送システム。
【請求項２】
請求項１に記載の土質改良用粉末固化材の輸送システムにおいて、
前記粉粒体収容タンクコンテナに粉粒体排出装置を設けておき、該粉粒体排出装置を使用して前記粉粒体収容タンクから直接前記土質改良機へ土質改良用粉末固化材を供給することを特徴とする土質改良用粉末固化材の輸送システム。
【請求項３】
請求項１または２に記載の土質改良用粉末固化材の輸送システムにおいて、
前記粉粒体収容タンクコンテナに自走装置を設けておき、建設または土木工事現場で脱着ボディ車から積み降ろされた後、前記粉粒体収容タンクコンテナを土質改良機の位置まで前記自走装置により自走移動させることを特徴とする土質改良用粉末固化材の輸送システム。
【発明の詳細な説明】
【技術分野】
【０００１】
本発明は、建設、土木工事現場で排出された残土の土質を改良するために残土に混ぜられる粉末固化材を、工場等の発送基地から作業現場まで、効率よく輸送する土質改良用粉末固化材の輸送システムに関する。
【背景技術】
【０００２】
従来、建設、土木工事現場で排出された残土は、そのままでは産業廃棄物として処分しなければならない。そこでその残土を、築堤盛土材や、埋め立て土とて再資源化するため、通常は、現場で、排出された残土にフライアッシュや製紙焼却灰等からなる土質改良用の粉末固化材を混ぜる処理をして搬出していた。そのため、現場には、残土に粉末固化材を混ぜる処理をする土質改良機が設置されていた。この土質改良機には、使用する粉末固化材を貯蔵するサイロが設置され、このサイロへ、工場等の発送基地から輸送されてきた粉末固化材が搬入されていた。従来、この粉末固化材を、現場まで運搬する方法として、土質改良機の規模が比較的小さい場合は、フレキシブル・コンテナ（通称：フレコン）に詰めたり、袋詰めしたりしてトラックにより運んでいた。土質改良機の規模が比較的大きい場合は、専用のタンク型の運搬車で運んでいた。そのための専用の運搬車として、特許文献１〜４に記載の粉粒体運搬車が知られている。
【特許文献１】特開２００６−１１７４２２号公報
【特許文献２】特開２００６−１３１３６８号公報
【特許文献３】特開２００６−１１７０９５号公報
【特許文献４】特開平１１−２９２２９３号公報
【発明の開示】
【発明が解決しようとする課題】
【０００３】
しかしながら、上述したフレコンや袋による粉末固化材の運搬方法では、現場での移し替えのとき粉塵が発生して環境を悪化するという問題があった。また、フレコンや袋を使用した場合、空になったフレコン、袋の回収や廃棄処分の必要があった。さらに、フレコン、袋の保管には雨濡れ破損のおそれがあるため、保管時に注意が必要であり、リスク及びコストが大きいという問題があった。そこでこれらの問題を解消するために専用のタンク運搬車を用いた場合は、環境を悪化する等の前述した問題は解消できるものの、配車の管理を高精度に実施しないと、稼働ロスが発生し、運搬コストが高くなるという問題があった。具体的には、土質改良機の稼働中に、粉末固化材が切れることを避けるため、タンク運搬車による運搬は前倒し気味に、余裕をみて運んでいた。その結果、現場に、タンク運搬車が到着しても、土質改良機のサイロに空きが少なくて、運んできた粉末固化材の全量を１回に移し替えることができないことがあった。この場合は、サイロが空くまで、タンク運搬車は現場で待機しなければならず、タンク運搬車の稼働率を悪化させることになっていた。
そこで、本発明は、土質改良用粉末固化材を、製造工場等の発送基地から工事現場の土質改良機に、効率よく低コストで輸送することができる土質改良用粉末固化材の輸送システムを提案することを目的とした。
【課題を解決するための手段】
【０００４】
上記課題を解決するために、本発明は、脱着ボディ車へ積載可能な粉粒体収容タンクコンテナを、土質改良機を設置した建設または土木工事現場に対して複数台用意し、土質改良用の粉末固化材の発送基地において、前記粉粒体収容タンクコンテナに粉末固化材を積み込んだ後、前記粉末固化材が積み込まれた粉粒体収容タンクコンテナを脱着ボディ車へ搭載して、発送基地から建設または土木工事現場の土質改良機近傍へ輸送して積み降ろし、次いで、前記現場で空になっている他の粉粒体収容タンクコンテナを前記脱着ボディ車に搭載して前記発送基地へ輸送して積み降ろすことを特徴とする。
【０００５】
ここで、前記粉粒体収容タンクコンテナに粉粒体排出装置を設けておき、該粉粒体排出装置を使用して前記粉粒体収容タンクから直接前記土質改良機へ土質改良用粉末固化材を供給することも可能である。
【０００６】
また、前記粉粒体収容タンクコンテナに自走装置を設けておき、建設または土木工事現場で脱着ボディ車から積み降ろされた後、前記粉粒体収容タンクコンテナを土質改良機の位置まで前記自走装置により自走移動させることも可能である。
【発明の効果】
【０００７】
以上述べたように本発明によれば、粉粒体収容タンクコンテナを複数用意して、土質改良用粉末固化材を発送基地で粉粒体収容タンクコンテナに積み込んだ後、脱着ボディ車に搭載して、発送基地と現場の土質改良機との間を、往復輸送することで、脱着ボディ車の運用が効率的となり、粉末固化材の輸送コストが低減する。また、粉粒体収容タンクから直接に土質改良機へ土質改良用粉末固化材を供給する場合は、土質改良機側に粉末固化材を貯蔵するためのサイロが不要となり、現場にサイロを設置するスペースがない場合に有用である。さらに、粉粒体収容タンクコンテナに自走装置を設けた場合は、現場で脱着ボディ車が不在のときでも、粉粒体収容タンクコンテナを移動させて、サイロ等への積み降ろしが可能となる。
【発明を実施するための最良の形態】
【０００８】
以下、図に基づいて本発明の実施形態を説明する。図１は、本発明で使用される粉粒体収容タンクコンテナの第１の実施形態を示す側面図である。図において、粉粒体収容タンクコンテナ１は、Ｌ型のフレーム２の上に略円筒状をしたタンク３が取り付けられている。タンク３の前部側面には梯子４が設置されている。フレーム２の前部および後部の左右にジャッキ５，６が装着されている。これらジャッキ５，６は油圧駆動または歯車駆動により昇降する。これらジャッキ５，６を下降させた状態で、コンテナ１はジャッキ５，６により四点支持される。
【０００９】
ジャッキ５，６の前後方向外側には、４個の車輪７，８が取り付けられていて、ジャッキ５，６を上昇させた状態で、車輪７，８はコンテナ１を四点支持する。４個の車輪７，８のうち、前部または後部の２個、あるいは４個全てに旋回機能を備えて、コンテナ１の移動時に方向転換を可能にする。また、４個の車輪７，８のうち、前部または後部の２個あるいは４個全てに原動機を接続して、コンテナ１の自走を可能にする。車輪７，８は、クローラとすることも可能である。クローラとした場合は、現場の地盤が軟弱な場合でも自走が容易となる。
【００１０】
フレーム２の前端立ち上がり部には、脱着ボディ車と連結するための係合部９，１０が設けられている。なお、タンク３へは、上部のハッチ１１，１２から土質改良用粉末固化材を詰め込み、タンク３の後下部の排出管１３から、圧縮空気とともに排出する。この排出時の圧縮空気は、コンテナ１にコンプレッサまたはブロアーを搭載する場合と、外部から圧縮空気を供給する場合がある。
【００１１】
図２は、図１のコンテナ１を脱着ボディ車１４へ搭載した状態を示す側面図である。脱着ボディ車１４は、アーム、フック、ワイヤ等の脱着機構を備え、その脱着機構を使用してコンテナ１を引き寄せて車体上に搭載するとともに、再び積み降ろしできるものである。通常、コンテナ１は、土質改良用粉末固化材を詰め込む工場または倉庫等の発送基地に置かれて、土質改良用粉末固化材が詰め込まれる。土質改良用粉末固化材が詰め込まれた後、コンテナ１は脱着ボディ車１４に搭載されて、建設または土木工事現場の土質改良機近傍へ輸送されてから積み降ろされる。現場で、コンテナ１の粉末固化材が排出管１３により土質改良機へ移し替えられて空になると、再度、脱着ボディ車１４へ搭載されて、発送基地に戻される。
【００１２】
図３は、本発明で使用される粉粒体収容タンクコンテナの第２の実施形態を示す側面図である。図において、粉粒体収容タンクコンテナ２１は、Ｌ型のフレーム２２の上に箱型をしたタンク２３が取り付けられている。フレーム２２の前部および後部の左右にジャッキ２５，２６が装着されている。これらジャッキ２５，２６は油圧駆動または歯車駆動により昇降する。これらジャッキ２５，２６を下降させた状態で、コンテナ２１はジャッキ２５，２６により四点支持される。
【００１３】
ジャッキ２５，２６の前後方向外側には、４個の車輪２７，２８が取り付けられていて、ジャッキ２５，２６を上昇させた状態で、車輪２７，２８はコンテナ２１を四点支持する。４個の車輪２７，２８のうち、前部または後部の２個、あるいは４個全てに旋回機能を備えて、コンテナ２１の移動時に方向転換を可能にする。また、４個の車輪２７，２８のうち、前部または後部の２個あるいは４個全てに原動機を接続して、コンテナ２１の自走を可能にする。車輪２７，２８は、クローラとすることも可能である。クローラとした場合は、現場の地盤が軟弱な場合でも自走が容易となる。
【００１４】
フレーム２２の前端立ち上がり部には、脱着ボディ車と連結するための係合部２９，３０が設けられている。なお、タンク２３へは、上部のハッチ３１〜３３から土質改良用粉末固化材を詰め込み、タンク２３の下部に設置されているスクリュー内蔵の排出管２４により排出する。このスクリューの動力源は、コンテナ２１に搭載しておく場合と外部から供給する場合がある。
【００１５】
図４は、図３のコンテナ２１を脱着ボディ車３４へ搭載した状態を示す側面図である。脱着ボディ車３４は、アーム、フック、ワイヤ等の脱着機構を備え、その脱着機構を使用してコンテナ２１を引き寄せて車体上に搭載するとともに、再び積み降ろしできるものである。通常、コンテナ２１は、土質改良用粉末固化材を詰め込む工場または倉庫等の発送基地に置かれて、土質改良用粉末固化材が詰め込まれる。土質改良用粉末固化材が詰め込まれた後、コンテナ２１は脱着ボディ車３４に搭載されて、建設または土木工事現場の土質改良機近傍へ輸送されてから積み降ろされる。現場で、コンテナ２１の粉末固化材が排出管２４により土質改良機へ移し替えられて空になると、再度、脱着ボディ車３４へ搭載されて、発送基地に戻される。
【００１６】
次に、本発明に係る土質改良用粉末固化材の輸送システムについて説明する。図５は輸送システムの説明図である。本発明では、図１および図３で説明したように、自走可能な車輪やクローラを設けた粉粒体収容タンクコンテナ４１〜４６を用意する。図では、コンテナ４１，４２が、土質改良用粉末固化材の製造工場や保管倉庫等の発送基地４７に置かれている。この発送基地４７では、基地内のサイロ４８からコンテナ４１，４２へ土質改良用粉末固化材が積み込まれる。次に、粉末固化材が積み込まれたコンテナ４３は脱着ボディ車４９に搭載されて、土質改良機５０が設置されている建設または土木工事現場５１へ運ばれる。
【００１７】
現場５１には、発送基地４７から脱着ボディ車により運ばれてきて積み降ろされたコンテナ４４，４５が置かれている。コンテナ４４，４５は、現場５１で待機した後、自走して移動し、土質改良機５０のサイロ５２へ、粉末固化材を排出する。サイロ５２へ送られた粉末固化材は、土質改良機５０へ送られて、残土に一定比率で混ぜられて、残土の土質を改良する。なお、現場によっては、スペースの制限のためサイロ５２が設置できない場合もあり、その場合は、コンテナから直接に土質改良機５０へ粉末固化材を使用分量だけ順次供給させることも可能である。現場５１で空になったコンテナ４６は、再び、脱着ボディ車５３に搭載されて、発送基地４７へ戻され、粉末固化材が繰り返し積み込まれる。
【００１８】
なお、脱着ボディ車４９，５３は、発送基地４７と現場５１を往復するとき、往路は粉末固化材を積んだコンテナを、復路は空になったコンテナを運ぶように、脱着ボディ車の配車の管理を行う。図では、６台のコンテナ４１〜４６と２台の脱着ボディ車４９，５３により、運用する場合を示しているが、脱着ボディ車を１台で運用することも可能である。これらコンテナと脱着ボディ車の必要数は、発送基地４７と現場５１との距離、粉末固化材の使用料、コンテナの容量等によって、変動するものである。いずれの場合も、脱着ボディ車に対して、複数のコンテナを用意することで、脱着ボディ車の稼働効率を高めることが可能となる。
【産業上の利用可能性】
【００１９】
本発明の輸送システムは、建設、土木工事現場で使用される粉末固化材以外の粉粒体からなる建築資材や、飼料等を輸送するシステムにも利用可能である。
【図面の簡単な説明】
【００２０】
【図１】本発明で使用される粉粒体収容タンクコンテナの第１の実施形態を示す側面図である。
【図２】図１のコンテナを脱着ボディ車へ搭載した状態を示す側面図である。
【図３】本発明で使用される粉粒体収容タンクコンテナの第２の実施形態を示す側面図である。
【図４】図３のコンテナを脱着ボディ車へ搭載した状態を示す側面図である。
【図５】本発明に係る土質改良用粉末固化材の輸送システムの説明図である。
【符号の説明】
【００２１】
１  粉粒体収容タンクコンテナ
２  フレーム
３  タンク
４  梯子
５，６  ジャッキ
７，８  車輪
９，１０  係合部
１１，１２  ハッチ
１３  排出管
１４  脱着ボディ車
２１  粉粒体収容タンクコンテナ
２２  フレーム
２３  タンク
２４  排出管
２５，２６  ジャッキ
２７，２８  車輪
２９，３０  係合部
３１〜３３  ハッチ
３４  脱着ボディ車
４１〜４６  粉粒体収容タンクコンテナ
４７  発送基地
４８  サイロ
４９  脱着ボディ車
５０  土質改良機
５１  建設または土木工事現場
５２  サイロ
５３  脱着ボディ車
【図１】
2009040581.tif 000003
【図２】
2009040581.tif 000004
【図３】
2009040581.tif 000005
【図４】
2009040581.tif 000006
【図５】
2009040581.tif 000007